(57)【要約】【目的】消臭香料剤の吹付け量や濃度の調整を簡単にでき、消臭香料剤を効率的に使用でき、消臭香料剤の種類、色、香り等を変更しても香りが残らないように迅速にできる消臭香料剤付きトイレットペーパーロールの製造法及びその装置とすること。【構成】巻軸に所定量のトイレットペーパーを巻き取り後に前記巻軸を抜き取る芯無しのトイレットペーパーロール製造方法において、トイレットペーパーロールＲの巻き取り動作を停止し、巻取り時の巻軸２位置と最終位置との間のトイレットペーパーｒの所定位置をカットし、カット後には巻取り時の巻軸２までのトイレットペーパーｒを折り返し状にし、折返し状のトイレットペーパーｒの巻軸２箇所に、消臭香料剤Ｓを巻軸２の長手方向に所定間隔をおいてスポット吹付けＳを行い、直後に、巻取り時の巻軸２を回転させて所定量のトイレットペーパーｒを巻き取ると共に巻き初め箇所に水を噴霧させて仮筒芯部を形成すること。【選択図】    図４
2019170911.tif 000002
【特許請求の範囲】
【請求項１】
巻軸に所定量のトイレットペーパーを巻き取り後に前記巻軸を抜き取る芯無しのトイレットペーパーロール製造方法において、巻軸付きで巻き取り終了したトイレットペーパーロールを最終位置の両ロール間に移動載置し、巻取り時の巻軸位置に新たな巻軸をセットすると共に、トイレットペーパーロールの巻き取り動作を停止しておき、巻取り時の巻軸位置と最終位置との間のトイレットペーパーの所定位置をカット刃にてカットし、該カット後には、前記巻取り時の巻軸までのトイレットペーパーを折り返し状になびかせ、該折返し状となったトイレットペーパーの巻軸箇所に、消臭香料剤を前記巻軸の長手方向に所定間隔をおいてスポット吹付けを行い、この直後に、前記巻取り時の巻軸を回転させて所定量のトイレットペーパーを巻き取ると共に、巻き初め箇所に水を噴霧させて仮筒芯部を形成することを特徴とする消臭香料剤付きトイレットペーパーロールの製造方法。
【請求項２】
請求項１記載の消臭香料剤付きトイレットペーパーロール製造方法において、前記消臭香料剤を前記巻軸の長手方向に所定間隔をおいてスポット吹付けを行うと共に、前記巻き上がったトイレットペーパーロールの端でカットした端箇所に、のり付けしてなることを特徴とする消臭香料剤付きトイレットペーパーロールの製造方法。
【請求項３】
請求項１又は２記載の消臭香料剤付きトイレットペーパーロール製造方法において、前記消臭香料剤の濃度乃至量を適宜調整可能としてなることを特徴とする消臭香料剤付きトイレットペーパーロールの製造方法。
【請求項４】
請求項１，２又は３記載の消臭香料剤付きトイレットペーパーロール製造方法において、前記巻軸の長手方向に、単位トイレットペーパーロール当たりの前記消臭香料剤のスポット吹付け個数を適宜制御可能としてなることを特徴とする消臭香料剤付きトイレットペーパーロールの製造方法。
【請求項５】
巻軸に所定量のトイレットペーパーを巻き取りしてその後に前記巻軸を抜き取る芯無しのトイレットペーパーロール製造装置において、巻軸付きで巻き取り終了したトイレットペーパーロールの最終位置と、巻取り時の巻軸位置に新たな巻軸がセットされた間のトイレットペーパーの所定位置がカット刃にてカットされた後には、前記巻取り時の巻軸までのトイレットペーパーが折り返し状になったトイレットペーパーの巻軸箇所に、該巻軸の停止状態下で消臭香料剤が該巻軸の長手方向に所定間隔をおいてスポット吹付けが行なわれてなり、その後に、前記巻取り時の巻軸が回転駆動されて所定量のトイレットペーパーが巻き取られると共に、巻き初め箇所に水が噴霧されて仮筒芯部が形成されることを特徴とする消臭香料剤付きトイレットペーパーロールの製造装置。
【請求項６】
請求項５記載の消臭香料剤付きトイレットペーパーロール製造装置において、前記消臭香料剤が前記巻軸の長手方向に所定間隔をおいてスポット吹付けが行なわれると共に、前記巻き上がったトイレットペーパーロールの端でカットした端箇所に、のり付けされてなることを特徴とする消臭香料剤付きトイレットペーパーロールの製造装置。
【請求項７】
請求項５又は６記載の消臭香料剤付きトイレットペーパーロール製造装置において、前記消臭香料剤の濃度乃至量が適宜調整可能としてなることを特徴とする消臭香料剤付きトイレットペーパーロールの製造装置。
【請求項８】
請求項５，６又は７記載の消臭香料剤付きトイレットペーパーロール製造装置において、前記巻軸の長手方向に、単位トイレットペーパーロール当たりの前記消臭香料剤のスポット吹付け個数を適宜制御可能としてなることを特徴とする消臭香料剤付きトイレットペーパーロールの製造装置。
【発明の詳細な説明】
【技術分野】
【０００１】
本発明は、消臭香料剤の吹付け量や濃度の調整することが簡単にできると共に、消臭香料剤量を少量でも効率的な吹付けができる消臭香料剤付きトイレットペーパーロールの製造法及びその装置に関する。
【背景技術】
【０００２】
従来より、消臭香料剤付きのトイレットペーパーロールは、数多く存在している。特に、特許文献１では、芯無しトイレットペーパーロール製造時において、その巻軸に対して巻き初め箇所に水を噴霧して紙筒芯を形成しているが、該水の中に消臭香料剤を含ませた水溶液を噴霧して消臭香料剤付きトイレットペーパーロールを成形している。
【０００３】
引用文献１による消臭香料剤付きトイレットペーパーロールの製造装置では、第１に消臭香料剤の量や濃度を変更させるには、芯箇所を形成させるための水噴霧の水の量が比較的多く存在しており、前記消臭香料剤の香り等の濃度が薄まっている状態であり、これを濃くするには多くの量も必要であるし、ましてや香りの種類を変えるにも水で薄まった状態下であり、かなり多くの段取りと時間が必要であり、無駄が生じていた。つまり、紙筒芯を形成するための水噴霧の中に含ませた前記消臭香料剤であるが故に、該消臭香料剤を効率的に使えず無駄となることが多かった。
【０００４】
このため、現在では、トイレットペーパーロールであっても、種々の香りが要望されており、そのニーズに対応するためには、消臭香料剤の吹付け量や濃度の調整することが簡単にできたり、或いは、その消臭香料剤は高価の場合もあり、噴霧水と一緒のように無駄には使えないものであるし、さらには、その消臭香料剤を簡易に変更しても、多くの消臭香料剤を水と共に噴霧しており、今までの香りが残らないように段取りするにも時間と多くの無駄製品ができるため、迅速に香り変更できる消臭香料剤付きトイレットペーパーロールの製造装置が望まれている。
【０００５】
この明細書において、「消臭香料剤」とは、消臭剤、芳香剤の総称であり、具体的には、消臭剤は、ニオイ分子を分解や包囲して無臭化を行うモノであり、芳香剤は、芳香であって、気分を爽やかにするモノ等と定義されている。その「消臭香料剤」には防臭剤、脱臭剤までも含まれることもあり、一般的な消臭剤や香料剤という用語には限定されない。
【先行技術文献】
【特許文献】
【０００６】
【特許文献１】特開２００１−３２７４３０号公報
【発明の概要】
【発明が解決しようとする課題】
【０００７】
このため、本発明が解決しようとする課題（技術的課題又は目的等）は、消臭香料剤の吹付け量や濃度の調整することが簡単にできると共に、消臭香料剤を効率的に使用することができるし、さらには、消臭香料剤の種類、色、香り等を簡易に変更してもその香りが残らないように迅速にできる消臭香料剤付きトイレットペーパーロールの製造法及びその装置を提供することを実現することである。
【課題を解決するための手段】
【０００８】
そこで、発明者は上記課題を解決すべく鋭意，研究を重ねた結果、請求項１の発明を、巻軸に所定量のトイレットペーパーを巻き取り後に前記巻軸を抜き取る芯無しのトイレットペーパーロール製造方法において、巻軸付きで巻き取り終了したトイレットペーパーロールを最終位置の両ロール間に移動載置し、巻取り時の巻軸位置に新たな巻軸をセットすると共に、トイレットペーパーロールの巻き取り動作を停止しておき、巻取り時の巻軸位置と最終位置との間のトイレットペーパーの所定位置をカット刃にてカットし、該カット後には、前記巻取り時の巻軸までのトイレットペーパーを折り返し状になびかせ、該折返し状となったトイレットペーパーの巻軸箇所に、消臭香料剤を前記巻軸の長手方向に所定間隔をおいてスポット吹付けを行い、この直後に、前記巻取り時の巻軸を回転させて所定量のトイレットペーパーを巻き取ると共に、巻き初め箇所に水を噴霧させて仮筒芯部を形成することを特徴とする消臭香料剤付きトイレットペーパーロールの製造方法としたことにより、前記課題を解決した。
【０００９】
請求項２の発明を、請求項１記載の消臭香料剤付きトイレットペーパーロール製造方法において、前記消臭香料剤を前記巻軸の長手方向に所定間隔をおいてスポット吹付けを行うと共に、前記巻き上がったトイレットペーパーロールの端でカットした端箇所に、のり付けしてなることを特徴とする消臭香料剤付きトイレットペーパーロールの製造方法としたことにより、前記課題を解決した。請求項３の発明を、請求項１又は２記載の消臭香料剤付きトイレットペーパーロール製造方法において、前記消臭香料剤の濃度乃至量を適宜調整可能としてなることを特徴とする消臭香料剤付きトイレットペーパーロールの製造方法としたことにより、前記課題を解決した。請求項４の発明を、請求項１，２又は３記載の消臭香料剤付きトイレットペーパーロール製造方法において、前記巻軸の長手方向に、単位トイレットペーパーロール当たりの前記消臭香料剤のスポット吹付け個数を適宜制御可能としてなることを特徴とする消臭香料剤付きトイレットペーパーロールの製造方法としたことにより、前記課題を解決した。
【００１０】
請求項５の発明を、巻軸に所定量のトイレットペーパーを巻き取りしてその後に前記巻軸を抜き取る芯無しのトイレットペーパーロール製造装置において、巻軸付きで巻き取り終了したトイレットペーパーロールの最終位置と、巻取り時の巻軸位置に新たな巻軸がセットされた間のトイレットペーパーの所定位置がカット刃にてカットされた後には、前記巻取り時の巻軸までのトイレットペーパーが折り返し状になったトイレットペーパーの巻軸箇所に、該巻軸の停止状態下で消臭香料剤が該巻軸の長手方向に所定間隔をおいてスポット吹付けが行なわれてなり、その後に、前記巻取り時の巻軸が回転駆動されて所定量のトイレットペーパーが巻き取られると共に、巻き初め箇所に水が噴霧されて仮筒芯部が形成されることを特徴とする消臭香料剤付きトイレットペーパーロールの製造装置としたことにより、前記課題を解決した。
【００１１】
請求項６の発明を、請求項５記載の消臭香料剤付きトイレットペーパーロール製造装置において、前記消臭香料剤が前記巻軸の長手方向に所定間隔をおいてスポット吹付けが行なわれると共に、前記巻き上がったトイレットペーパーロールの端でカットした端箇所に、のり付けされてなることを特徴とする消臭香料剤付きトイレットペーパーロールの製造装置としたことにより、前記課題を解決した。請求項７の発明を、請求項５又は６記載の消臭香料剤付きトイレットペーパーロール製造装置において、前記消臭香料剤の濃度乃至量が適宜調整可能としてなることを特徴とする消臭香料剤付きトイレットペーパーロールの製造装置としたことにより、前記課題を解決した。請求項８の発明を、請求項５，６又は７記載の消臭香料剤付きトイレットペーパーロール製造装置において、前記巻軸の長手方向に、単位トイレットペーパーロール当たりの前記消臭香料剤のスポット吹付け個数を適宜制御可能としてなることを特徴とする消臭香料剤付きトイレットペーパーロールの製造装置としたことにより、前記課題を解決したものである。
【発明の効果】
【００１２】
請求項１の方法発明においては、消臭香料剤の吹付け量や濃度の調整することが簡単にできると共に、消臭香料剤量を少量でも効率的な吹付けができる利点があるし、さらには、消臭香料剤を簡易に変更してもその香りが残らないように迅速にできる利点がある。請求項２の方法発明では、請求項１の発明と同等の効果を奏する。請求項３の方法発明では、消臭香料剤の濃度乃至量を極めて簡単にできる。請求項４の方法発明では、単位トイレットペーパーロール当たりの吹付け個数も適宜にできる効果を奏する。
【００１３】
また、請求項５の装置発明においては、消臭香料剤の吹付け量や濃度の調整することが簡単にできると共に、消臭香料剤量を少量でも効率的な吹付けができる利点があるし、さらには、消臭香料剤を簡易に変更してもその香りが残らないように迅速にできる利点がある。請求項２の方法発明では、請求項１の発明と同等の効果を奏する。請求項３の方法発明では、消臭香料剤の濃度乃至量を極めて簡単にできる。請求項４の方法発明では、単位トイレットペーパーロール当たりの吹付け個数も適宜にできる効果を奏する。
【図面の簡単な説明】
【００１４】
【図１】本発明の消臭香料剤付きトイレットペーパーロールの製造法の初期段階の（Ａ）乃至（Ｃ）状態図である。
【図２】本発明の消臭香料剤付きトイレットペーパーロールの製造法の中期段階の（Ｄ）乃至（Ｆ）状態図である。
【図３】本発明の消臭香料剤付きトイレットペーパーロールの製造法の要部段階の（Ｇ）状態図である。
【図４】(α)は図３（Ｇ）状態の消臭香料剤をトイレットペーパーに吹付け状態の一部拡大状態図、（β）は単位トイレットペーパーロール当たり２箇所に消臭香料剤  を吹付け状態の要部斜視図、（γ）は（β）とは異なる実施形態の要部斜視図。
【図５】本発明の消臭香料剤付きトイレットペーパーロールの製造法の終期段階の（Ｈ）乃至（Ｊ）状態図である。
【発明を実施するための形態】
【００１５】
以下、本発明の実施形態について図面に基づいて説明すると、第１実施形態は、消臭香料剤付きトイレットペーパーロールの製造方法である。特に、本発明の要部は、図３及び図４に示すように、消臭香料剤Ｓを吹付ける製造方法及びその装置構造である。また、図５（Ｉ）に示すような、仮筒芯部を成形する水噴霧する工程も存在している。該仮筒芯部を形成するには、巻軸２を約２，３回転しつつ水噴霧している。
【００１６】
ここでの説明では、製造方法の最初から説明する。ところが、実際の製造工程（図１〜図５参照）においては、巻軸２に約１分乃至約２分でトイレットペーパーｒの所定量の巻き取りが完了してトイレットペーパーロールＲとして仕上がるため、該トイレットペーパーロールＲが巻軸２に巻取り完了状態から説明する。
【００１７】
まず、図１（Ａ）において、左ロール１a、右ロール１b、押えロール１c間で、巻軸２にトイレットペーパーロールＲが所定量が巻取られて１工程としての巻取り作業が完了する。この時に、巻軸２は停止状態となっている。そして、該トイレットペーパーロールＲを、ゴロン、ゴロンと移動して、最終位置としての両ロール３ａ、３ｂ間に移動載置する〔図１（Ｂ）参照〕。
【００１８】
そして前述の巻軸２位置（巻取り時位置）に、新たな該巻軸２をセットする〔図１
（Ｃ）参照〕。勿論、該巻軸２は動作停止である。最終位置のトイレットペーパーロールＲと前記巻取り時の位置との間のトイレットペーパーｒの所定位置にて、カット刃４にて、前記トイレットペーパーｒの途中位置をカットする〔図２（Ｄ）参照〕。図中９１は、トイレットペーパーロールＲ又はトイレットペーパーｒの載置台座である。
【００１９】
前記カット後に直ぐに、前記カット刃４は上昇させ、同時に、前記巻軸２に、該巻軸２位置から前記カット刃位置までのトイレットペーパーｒを返し状になびかせる。つまり、該トイレットペーパーｒの下側からの風圧器５（風力ブロワ等）にての風圧にて返し状になびかせる〔図２（Ｅ）参照〕。すると、直ぐに、前記トイレットペーパーｒが折り返し状となっている前記巻軸２上に押えロール１ｃを回転可能に載置する。同時に、前記最終位置となった前記両ロール３ａ、３ｂ間に乗っている前記巻取り完了したトイレットペーパーロールＲが少し巻かれる。場合によっては巻かないこともある。
【００２０】
そして、折返し状となったトイレットペーパーｒの巻軸J箇所に、消臭香料剤Ｓなる溶液を吹付け具６にて、前記巻軸Ｊの長手方向に所定間隔をおいて  スポット吹付けｓ，ｓ…を行う〔図３（Ｇ）及び図４（α）参照〕。この吹付け状態を詳しく説明する。前記吹付け具６は、前記巻軸２の長手方向に摺動しつつ不連続状態で前記消臭香料剤Ｓの溶液を吹付ける。さらに具体的には、１秒間に、数ナノ秒毎乃至数十ナノ秒毎に、所定量を吹付ける。該吹付けは、前記巻軸が停止状態下にある。
【００２１】
前述の吹付け状態を、図面では、図４（β）及び（γ）に示す通りである。つまり、製造途中のトイレットペーパーロールＲは実際には、ユーザ使用する単位トイレットペーパーロール（約１１cm）毎の対応位置に、２つのスポット吹付けｓ，ｓ・・〔図４（β）参照〕・或いは１つのスポット吹付けｓ，・・・〔図４（γ）参照〕を行う。そのスポット状吹付けｓの数には限定されない。さらに、前記消臭香料剤Ｓの吹付け量や、濃度については、適宜選択可能に構成されている。
【００２２】
図４（β）及び（γ）では、このような吹付けした瞬間を図示したものであるが、その消臭香料剤Ｓなる溶液なる材質故に直ぐに滲んで倍以上の大きさに拡大される。また、その吹付け時において、同時に、前記巻き上がったトイレットペーパーロールＲの端でカットした端箇所に、グルー照射具７にて、のり付けがされる〔図３（Ｇ）参照〕。ここまでは、巻軸Ｊは停止状態を保持している。前記消臭香料剤Ｓの吹付け具６及び前記グルー照射具７は、前記巻軸２の長手方向に可動する移動部材９２に取り付けられている。
【００２３】
そして、消臭香料剤Ｓの吹付けも終了し、且つのり付けも完了すると〔図５（Ｈ）参照〕、その直後に、前記トイレットペーパーｒ端が折返状となった巻軸２を回転させてトイレットペーパーｒの巻付け作業を開始する。この開始と略同時に、水噴霧具８にて、トイレットペーパーｒの巻き初め箇所（巻軸２箇所）に、水噴霧を適宜な量及び時間として行い、仮筒芯部を形成する〔図５（Ｉ）参照〕。
【００２４】
その後には、前記巻軸２を回転してトイレットペーパーｒを巻取り作業行う〔図５（Ｊ）参照〕。そして、トイレットペーパーｒの所定量を巻取りして１工程として完成し、図１（Ａ）に戻る。なお、前記巻き上がったトイレットペーパーロールＲのカット端が、のり付けされてトイレットペーパーロールＲとして完成品として次の工程に移動する〔図５（Ｉ）右側参照〕。
【００２５】
その後、図示しないが、前記トイレットペーパーロールＲから巻軸２は抜かれ、前記単位トイレットペーパーロールとして仕上げられる。以上が一連の消臭香料剤付きトイレットペーパーロールの製造方法である。特に、前記巻軸２がトイレットペーパーロールＲから抜がれたときに、前記巻軸２の外周には抜きやすくするための潤滑剤が塗布されている。該巻軸２は再び新規なトイレットペーパーロールＲの製造法に使用されるものである。
【符号の説明】
【００２６】
Ｒ…トイレットペーパーロール、ｒ…トイレットペーパー、１a…左ロール、
１b…右ロール、１c…押えロール、２…巻軸、３ａ，３ｂ…ロール、４…カット刃、
５…風圧器、Ｓ…消臭香料剤、ｓ…スポット吹付け、６…吹付け具、
７…グルー照射具、９１…載置台座、９２…移動部材。
【図１】
2019170911.tif 000003
【図２】
2019170911.tif 000004
【図３】
2019170911.tif 000005
【図４】
2019170911.tif 000006
【図５】
2019170911.tif 000007